(57)【特許請求の範囲】
【請求項１】
画像を表示する表示部と、
ファインダの近傍に配置される光を照射する照射手段と、
前記ファインダの近傍に配置される前記照射手段から照射された光を受光することで信号を出力する受光手段と、
前記受光手段の出力が所定の閾値を超え、かつ所定時間間隔における前記受光手段の出力の変化量が所定のレベルを超えるかどうかを判定する判定手段と、
前記判定手段の判定結果に基づいて前記表示部への画像表示を制御する制御手段と、を有し、
前記判定手段によって、前記受光手段の出力が前記所定の閾値を超え、かつ前記所定時間間隔における前記受光手段の出力の変化量が前記所定のレベルを超えると判定される場合に、前記制御手段は前記表示部への画像表示を行うように前記表示部を制御し、
前記判定手段によって、前記受光手段の出力が前記所定の閾値を超え、かつ前記所定時間間隔における前記受光手段の出力の変化量が所定のレベルを超えないと判定される場合に、前記制御手段は前記表示部への画像表示を行わないように前記表示部を制御することを特徴とするカメラ。
【請求項２】
前記判定手段は、前記受光手段の出力が前記所定の閾値を超えたタイミングから所定時間だけ遡った時間間隔における前記受光手段の出力の変化量が所定のレベルを超えるかどうかを判定することを特徴とする請求項１に記載のカメラ。
【請求項３】
画像を表示する表示部と、
ファインダの近傍に配置される光を照射する照射手段と、
前記ファインダの近傍に配置される前記照射手段から照射された光を受光することで信号を出力する受光手段と、
前記受光手段の出力が第１の所定値を超え、かつ前記受光手段の出力が前記第１の所定値より大きい第２の所定値を超えるかどうかを判定する判定手段と、
前記判定手段の判定結果に基づいて前記表示部への画像表示を制御する制御手段と、を有し、
前記判定手段によって、前記受光手段の出力が前記第１の所定値を超え、かつ前記受光手段の出力が前記第２の所定値を超えると判定される場合に、前記制御手段は前記表示部への画像表示を行うように前記表示部を制御し、
前記判定手段によって、前記受光手段の出力が前記第１の所定値を超え、かつ前記受光手段の出力が前記第２の所定値を超えないと判定される場合に、前記制御手段は前記表示部への画像表示を行わないように前記表示部を制御することを特徴とするカメラ。
【発明の詳細な説明】
【技術分野】
【０００１】
本発明は、カメラに関する。特にファインダに接眼したことを検知するカメラに関するものです。
【背景技術】
【０００２】
従来、撮影者がファインダを覗くあるいはカメラに顔を近づける等によって、カメラの近傍に物体があることを検知すると、カメラの撮影準備動作を開始する接眼検知機能付きカメラが知られている。例えば、撮影者がファインダを覗くあるいはカメラに顔を近づけたこと、等を検知するために、カメラのファインダに光学式センサと投光素子を配置し、つぎのように接眼したか否かを判断する光学検知方式が知られている。
すなわち、光学検知方式では、ファインダに物体が接近したときと遠ざかったときの、投光素子から投射した上記物体での反射光を受光した光学式センサの受光量に応じて、接眼したか否かを判断する方式が用いられている。
【０００３】
このような方式によるカメラにおいて、例えば、特許文献１、特許文献２では、ファインダに物体が接眼したことを接眼検知手段が検知すると、カメラの表示部のバックライトを自動的に消灯すると共にカメラが撮影待機状態となる。
【先行技術文献】
【特許文献】
【０００４】
【特許文献１】特許第３２７８２３０号公報
【特許文献２】特開２０００−１６５７０５号公報
【発明の概要】
【発明が解決しようとする課題】
【０００５】
しかしながら、上記した従来例の特許文献１、特許文献２等のカメラに備えられた接眼検知方法においては、つぎのような課題を有している。
上記従来例のものでは、接眼検知手段は近づく物体が撮影者の顔や眼であることを認識しているのではなく、任意の物体が近づいたことを検出しているだけに過ぎない。
したがって、このような接眼検知手段に手を近づけた場合でも、表示部のバックライトが消灯することになる。
このようなことから、撮影者が予期せぬ状況で接眼検知による表示部の自動消灯が実行されてしまう場合が生じる。
【０００６】
これらについて、図を用いて更に詳細に説明する。
図５（ａ）〜（ｃ）は、上記したような従来例における接眼検知手段を備えたカメラである。
図中の４１は接眼検知部、２８は表示部であり、カメラの撮影情報、撮影画像の確認、撮影設定画面等の表示を行うことができる。
８０は光学ファインダであり、図では撮影者が覗き込むための接眼窓が表記されている。
ここで、撮影待機状態での表示部２８は、接眼検知されないときは図５（ｃ）のように撮影情報が設定できる表示状態（以下、撮影情報設定画面）となり、接眼検知されているときは図５（ｂ）のように表示部２８が消灯し、真っ黒な状態となるようにされている。
また、図５（ａ）は撮影直後で表示部２８には確認画像が表示されており、この時に接眼検知手段に右手親指が掛かると、撮影者が画像を確認中であるにも関わらず接眼検知手段に物体が接近したと判断する。
そのため、図５（ｂ）のように表示部２８が消灯するとともに、カメラが撮影待機状態に移行する。
また、表示部２８の表示が消灯後、撮影者が接眼検知部４１から右手親指を離すと、接眼検知部４１は物体が遠ざかったと判断し、表示部２８は画面表示される。
但し、カメラは撮影待機状態であるため、表示部２８の表示内容は確認画像ではなく撮影情報設定画面となる。
このように、撮影者は確認中の画像表示が中断されるだけでなく、復帰した表示が別の状態となるため、もう一度確認画像を表示するためには再生用ボタン（不図示）を押さなくてはならないという、煩わしい操作をしなくてはならなかった。
以上のような煩わしさは、確認画像の表示中だけに限らず、撮影情報設定画面についても同様のことが言える。
【０００７】
本発明は、上記課題に鑑み、接眼検知の結果が指掛かりによるものか否かを判別して撮影者の意に反した表示部の消灯を禁止し、操作上の煩わしさを解消することを目的とする。
【課題を解決するための手段】
【０００８】
本発明のカメラは、画像を表示する表示部と、ファインダの近傍に配置される光を照射する照射手段と、前記ファインダの近傍に配置される前記照射手段から照射された光を受光することで信号を出力する受光手段と、前記受光手段の出力が所定の閾値を超え、かつ所定時間間隔における前記受光手段の出力の変化量が所定のレベルを超えるかどうかを判定する判定手段と、前記判定手段の判定結果に基づいて前記表示部への画像表示を制御する制御手段と、を有し、前記判定手段によって、前記受光手段の出力が前記所定の閾値を超え、かつ前記所定時間間隔における前記受光手段の出力の変化量が前記所定のレベルを超えると判定される場合に、前記制御手段は前記表示部への画像表示を行うように前記表示部を制御し、前記判定手段によって、前記受光手段の出力が所定の閾値を超え、かつ所定時間間隔における前記受光手段の出力の変化量が所定のレベルを超えないと判定される場合に、前記制御手段は前記表示部への画像表示を行わないように前記表示部を制御することを特徴とする。
また、本発明のカメラは、画像を表示する表示部と、ファインダの近傍に配置される光を照射する照射手段と、前記ファインダの近傍に配置される前記照射手段から照射された光を受光することで信号を出力する受光手段と、前記受光手段の出力が第１の所定値を超え、かつ前記受光手段の出力が前記第１の所定値より大きい第２の所定値を超えるかどうかを判定する判定手段と、前記判定手段の判定結果に基づいて前記表示部への画像表示を制御する制御手段と、を有し、前記判定手段によって、前記受光手段の出力が前記第１の所定値を超え、かつ前記受光手段の出力が前記第２の所定値を超えると判定される場合に、前記制御手段は前記表示部への画像表示を行うように前記表示部を制御し、前記判定手段によって、前記受光手段の出力が第１の所定値を超え、かつ前記受光手段の出力が前記第１の所定値より大きい第２の所定値を超えないと判定される場合に、前記制御手段は前記表示部への画像表示を行わないように前記表示部を制御することを特徴とする。
【発明の効果】
【０００９】
本発明によれば、接眼検知の結果が指掛かりによるものか否かを判別して撮影者の意に反した表示部の消灯を禁止し、操作上の煩わしさを解消することができる。
【図面の簡単な説明】
【００１０】
【図１】本発明の実施例における電子カメラシステムの構成を説明するブロック図である
【図２】本発明の実施例における誤検知判定部の第１の判定方法を説明するための図である。
【図３】本発明の実施例における誤検知判定部の第２の判定方法を説明するための図である。
【図４】本発明の実施例における電子カメラシステムで実行される撮影処理の手順を示すフローチャートである。
【図５】従来例における接眼検知手段を備えたカメラにおいて、接眼検知手段に指掛かりする時の状態を説明する図である。
【発明を実施するための形態】
【００１１】
本発明を実施するための形態を、以下の実施例により説明する。
【実施例】
【００１２】
図１のブロック図を用いて、本発明の実施例における接眼検知機能を備えた電子カメラシステムの構成を説明する。
本実施例の電子カメラ１は、撮影レンズ１０、絞り１１、シャッタ１２、撮像素子１４、Ａ／Ｄ変換器１６を備えている。
撮像素子１４は、光学像を電気信号に変換する、例えばＣＭＯＳセンサやＣＣＤ等によって構成される。
この撮像素子１４から出力されるアナログ信号は、Ａ／Ｄ変換器１６によりデジタル信号に変換される。
また、タイミング発生回路１８において、撮像素子１４、Ａ／Ｄ変換器１６、Ｄ／Ａ変換器２６にクロック信号や制御信号が供給される。
タイミング発生回路１８は、メモリ制御回路２２及びシステム制御回路５０により制御される。
２０は画像処理回路であり、Ａ／Ｄ変換器１６やメモリ制御回路２２から送られたデータに対して所定の画素補間処理や色変換処理を行う。
２２はメモリ制御回路であり、Ａ／Ｄ変換器１６、タイミング発生回路１８、画像処理回路２０、画像表示メモリ２４、Ｄ／Ａ変換器２６、画像データメモリ３０、圧縮・伸長回路３２を制御する。
Ａ／Ｄ変換器１６の出力データは、画像処理回路２０およびメモリ制御回路２２を介して、或いはメモリ制御回路２２のみを介して、画像表示メモリ２４或いは画像データメモリ３０に書き込まれる。
【００１３】
２４は画像表示メモリ、２６はＤ／Ａ変換器、２８はＴＦＴ型カラーＬＣＤ等から成る表示部である。
撮影時に画像表示メモリ２４に書き込まれた表示用の画像データ、またはカメラの動作状態および設定情報を含む撮影情報、撮影確認画像などが、Ｄ／Ａ変換器２６を介して表示部２８により表示される。
３０は撮影した静止画像を一時的に格納するための画像データメモリであり、所定枚数の静止画像を格納するのに十分な記憶容量を備えている。また、画像データメモリ３０はシステム制御回路５０の作業領域としても使用することが可能である。
３２は画像データを圧縮・伸長する圧縮・伸長回路であり、画像データメモリ３０に格納された画像を読み込んで圧縮処理或いは伸長処理を行い、処理を終えたデータを画像データメモリ３０に書き込む。
３８は測光回路であり、撮影レンズ１０を通して入ってくる外光を測光して露出を決定する。
３９は絞り１１及びシャッタ１２の動作を制御する露光制御部であり、測光結果に基づいて絞り及びシャッタを駆動する。
４０は撮影レンズ１０のフォーカシングを制御する測距制御部であり、複数の測距点における測距情報を基に合焦を得られるように撮影レンズ１０を駆動する。なお、ここでは撮影レンズ１０をカメラと一体のものとして示しているが、本発明はこのような構成に限定されるものではない。
例えば、撮影レンズを交換可能な構成にして、撮影レンズのカメラ本体への取付け部に設けたレンズ通信接点を介して、カメラ側にてレンズ駆動制御を行うように構成してもよい。
【００１４】
４１は接眼検知部であり、光学ファインダ８０の接眼位置（例えば図５（ａ）〜（ｃ））の近傍に配置され、光を照射する照射手段としてのＬＥＤと照射された光を受光する受光手段としての受光センサで構成される光学式検知手段である。
検知結果が、受光センサの出力値が所定の値以上あれば、誤検知判定部（誤検知判定手段）４２で検出結果に誤りが無いかを判定する。
誤検知判定部４２の判定結果が誤りでない、つまり接眼検知が正常に検出された場合には表示部（表示手段）２８の表示を消すと共に、電子カメラ１が撮影待機状態になり、撮影準備動作が開始される。
一方、誤検知判定部４２の判定結果が誤検知である、つまり、接眼検知部４１は指掛かりした状態であったと判定された際には、システム制御回路（システム制御手段）５０に送られ、これにより前記表示手段における表示を消すことなく継続するように制御される。このように、接眼検知部４１の指掛かりの有無を誤検知判定部４２で判定している。
５０は電子カメラ１全体を制御するシステム制御回路であり、内部にＲＯＭ、ＲＡＭ、Ａ／Ｄ変換器、Ｄ／Ａ変換器、時計機能を有するマイクロコンピュータから構成される。
５６は電気的に消去・記録可能な不揮発性メモリであり、例えばＥＥＰＲＯＭ等で構成される。
【００１５】
６０、６２、６４及び６６は、システム制御回路５０に対して各種の動作指示を入力するための各種操作部であり、スイッチ、ダイアル、タッチパネル、視線検知によるポインティング、音声認識装置等や、それらの組み合わせで構成される。
６０はモードダイアルであり、各機能モードを切り替え設定するためのものである。
これにより、例えば自動撮影モード（全自動、ポートレート、風景、クローズアップ、スポーツ、夜景、ストロボ発光禁止など）に切り替えることができる。
また、応用撮影モード（Ｐ＝プログラムＡＥ、Ｔｖ＝シャッタ優先ＡＥ、Ａｖ＝絞り優先ＡＥ、Ｍ＝マニュアル露出、Ａ−ＤＥＰ＝自動深度優先ＡＥなど）、等に切り替えることができる。
６２は撮影のためのレリーズスイッチＳＷ１であり、不図示のレリーズボタンの半押し状態でＯＮとなり、ＡＦ（オートフォーカス）処理、ＡＥ（自動露出）処理等の動作開始を指示する。
６４は撮影のためのレリーズスイッチＳＷ２である。
これにより、不図示のシャッタボタンの全押し状態でＯＮとなり、絞り１１およびシャッタ１２を制御して撮像素子１４に光学像を取り込ませる露光処理やＥＦ（ストロボ発光）処理等の動作開始を指示する。
また、６６は各種ボタンやタッチパネル等からなる操作部である。
これにより、カメラの電源スイッチ、メニューボタン、セットボタン、画像再生ボタン、記録画像消去ボタン、内蔵ストロボポップアップボタン、単写／連写／セルフタイマー切り替えボタン、露出補正ボタン、日付／時間設定ボタン等を含む。
【００１６】
７０は記録媒体２００と接続を行うインターフェースであり、記録媒体２００のメモリカード規格に準拠したものが用いられる。
７２は記録媒体着脱検知部であり、電子カメラ１のインターフェース７０に記録媒体２００が装着されているか否かを検知する。
８０は撮影者が被写体を観測するための光学ファインダである。
２００はメモリカードやハードディスク等の記録媒体であり、半導体メモリや磁気ディスク等から構成される記録部２０２と、電子カメラ１とのインターフェース２０４とを備えている。尚、上記記録媒体２００は電子カメラ１に内蔵されていても構わない。
【００１７】
つぎに、誤検知判定部４２の指掛かりによる誤検知判定方法の一例について説明する。図２は、接眼検知部４１で接眼検知を行ったときの時間に対する受光センサ出力の関係を、接眼検知部４１が正常に検出した場合における誤検知判定部の第１の判定方法について説明するイメージ図である。
破線は接眼検知を正常に検出した時、実線は指掛かりにより検出した時のセンサ出力の推移である。
また、閾値Ｓは接眼検知部４１の接眼検出の閾値であり、閾値Ｓより大きければ接眼検知とし、閾値Ｓより小さければ非検知となる。
ｔはセンサ出力の単位時間辺りの変化量を求めるための時間である。
【００１８】
まず、撮影者が光学ファインダ８０に眼を近づける場合は、撮影者がカメラを手に持った状態で、カメラの光学ファインダに眼を近付けようとするため、カメラに対し数十センチ程度離れたところから徐々に光学ファインダ８０に眼を近づけていく。
そのため、接眼検知部４１の受光センサの出力は比較的なだらかな推移で変化し、センサ出力＞Ｓになると、接眼検知部４１が接眼を検知したことを誤検知判定部４２へ出力する。
一方、撮影者の指が接眼検知部４１に掛かった場合は、図５（ｃ）のように接眼検知部４１には撮影者の右手親指が掛かっていない状態から接眼検知部４１に指掛かりするので、指と接眼検知部４１までの距離が非常に短い。
このため、接眼検知部４１の受光センサ出力は急峻な推移で変化し、撮影者が光学ファインダ８０に眼を近づける場合と同様にセンサ出力＞閾値Ｓになると、接眼検知部４１が接眼を検知したことを誤検知判定部４２へ出力する。
誤検知判定部４２では、受光センサの出力が閾値Ｓを越えるという条件と、閾値Ｓを越えたことを検出したタイミングから時間ｔだけ遡った時点のセンサ出力に基づいて、時間ｔにおける受光センサ出力の変化量が所定のレベルを越えているという条件を満たす場合には、誤検知判定部４２が指掛かりによる誤検知であると判定する。一方、受光センサの出力が閾値Ｓを越えるという条件を満たし、時間ｔにおける受光センサ出力の変化量が所定のレベルを越えているという条件を満たさない場合には、誤検知判定部４２は、撮影者が光学ファインダ８０に眼を近づけたと判定する。
【００１９】
誤検知判定部の指掛かりによる誤検知判定方法は、上記以外の方法によっても行うことが可能である。
つぎに、その一例として、誤検知判定部の第２の判定方法について説明する。
例えば、接眼検知部４１のＬＥＤ部（不図示）に撮影者の指が掛かってしまった時の受光センサ出力（不図示）は、撮影者が光学ファインダ８０に眼を近づけたときの受光センサ出力よりも充分大きな値となる。
これは、ＬＥＤ部からの投射光が非常に近い位置にある指に反射し、非常に強い反射光が受光センサに入射するためである。
したがって、図３のように、撮影者が光学ファインダ８０に接眼し終えた時のセンサ出力よりも充分大きな値Ｘを第２の所定値としての閾値としている。そして、受光センサ出力が第１の所定値としての閾値Ｓを越え、かつ受光センサ出力が第２の所定値としての閾値Ｘを越えた場合は指掛かりによる誤検知であると判定し、受光センサ出力が閾値Ｓを越え、閾値Ｘを越えない場合には撮影者が光学ファインダ８０に眼を近づけたと判定することができる。
【００２０】
つぎに、図４のフローチャートを用いて、本実施例の動作について説明する。電子カメラ１の電源スイッチがＯＮされると、ステップＳ４０１でシステム制御部５０のリセット並びに初期設定動作、各部のエラーチェック、電源電圧確認等のカメラ初期動作が行われる。
次に、ステップＳ４０２では接眼検知部４１で接眼検知を行い、結果“接眼検知していない”であればステップＳ４０４で表示部２８であるＴＦＴにカメラの設定情報を表示しステップＳ４０５へ進む。
ステップＳ４０２の検出結果が“接眼検知している”であればステップ４０３へ進み誤検知判定部４２で接眼検知部４１で検出された結果の正誤判定を行う。
正誤判定では、下記の少なくともいずれかの一方の手法を使って判定を行う。
・接眼検知部４１の受光センサ出力の単位時間当たりの変化量が所定量を越えているか否か。
・接眼検知部４１の受光センサ出力が閾値Ｘを越えたか否か。
正誤判定の結果が、“誤検知である”場合にはステップＳ４０４で表示部２８であるＴＦＴにカメラの設定情報を表示しステップＳ４０５へ進む。
一方、正誤判定の結果が“誤検知でない”場合には接眼検知が正常に行われており、撮影者が光学ファインダ８０を覗き込んでいると判断し、表示部２８であるＴＦＴは表示することなくステップＳ４０５へ進む。
【００２１】
ステップＳ４０５ではレリーズボタンが半押し状態（ＳＷ１（図１の６２）がＯＮ）であるかを判別している。
そして、“ＳＷ１がＯＦＦである”つまりレリーズボタンが押されていないときにはステップＳ４０２に戻り、ステップ４０５でＳＷ１がＯＮになるまでステップＳ４０２〜ステップＳ４０５の動作を繰り返す。
一方“ＳＷ１がＯＮである“つまりレリーズボタンが半押し状態の時にはステップＳ４０６へ進む。
ステップＳ４０６、Ｓ４０７では露光前の準備として、ステップＳ４０６で表示部２８を消灯し、ステップＳ４０７で測距制御部４０による測距、測光回路３８による測光動作が行われる。
ステップＳ４０８ではレリーズボタンが全押し状態（ＳＷ２（図１の６４）がＯＮ）であるかを判別しており、“ＳＷ２がＯＦＦである”場合にはステップＳ４１７でＳＷ１の状態を確認する。
“ＳＷ１がＯＮである”場合にはレリーズボタンが半押し状態であってレリーズボタンの全押し待機状態ある。
したがって、ステップＳ４０８へ戻りＳＷ２の状態を監視し続ける。
そして、“ＳＷ１がＯＦＦである”場合にはレリーズスイッチは押されていない状態にあるのでステップＳ４０２に戻り、ステップ４０５でＳＷ１がＯＮになるまでステップＳ４０２〜ステップＳ４０５の動作を繰り返す。
一方、“ＳＷ２がＯＮである”場合にはレリーズスイッチが全押しされているので、ステップＳ４０９で露光動作である静止画の撮影が行われる。
【００２２】
次に、ステップＳ４０９の撮影で取得した撮像素子１４からの画像データをステップＳ４１０で画像表示メモリ２４及び画像データメモリ３０に格納する。
ステップＳ４１１では接眼検知部４１で再び接眼検知を行い、検出結果が“接眼検知していない”であればステップＳ４１３で画像表示メモリ２４に格納された画像データを表示部２８に確認用画像として所定の表示時間だけ表示し、ステップ４０２へ戻る。
なお、上記表示時間の判定はステップＳ４１４で行っている。ステップＳ４１１の検出結果が“接眼検知している”であればステップ４１２へ進み誤検知判定部４２で接眼検知部４１で検出された結果の正誤判定を行う。
正誤判定の結果が“誤検知である”場合には、ステップＳ４１３で画像表示メモリ２４に格納された画像データを表示部２８に確認用画像として所定の表示時間だけ表示し、ステップ４０２へ戻る。
なお、上記表示時間の判定はステップＳ４１４で行っている。
一方、正誤判定の結果が“検出は正しい”場合にはステップＳ４１５に進む。
ステップＳ４１５では表示部２８に撮影確認用画像が表示されたかどうかを判定している。判定結果が“表示されていない”場合には、撮影者が撮影後も光学ファインダ８０を覗き込んだままの状態である。
この場合には、ステップＳ４１６で“ＳＷ１がＯＦＦ”であれば、撮影者が光学ファインダ８０の接眼をやめるまでステップＳ４１１→Ｓ４１２→Ｓ４１５→Ｓ４１６を繰り返す。
また、ステップＳ４１６で“ＳＷ１がＯＮ”であれば、撮影者は次の撮影準備に入っているので、撮影確認用画像の表示を行うことなくステップＳ４０６へ進む。一方ステップＳ４１５の判定結果が“表示された”であれば、撮影者が光学ファインダ８０の接眼を一旦やめて、撮影画像を確認後再度接眼しているので撮影待機状態に移行するためステップＳ４０２に進む。
【００２３】
ここで、ステップＳ４１０で撮影により取得された撮像素子１４からの画像データを画像データメモリ３０に格納しており、この格納された画像データは圧縮・伸長回路３２で圧縮され、圧縮された画像データを記録媒体２００に記録している。
この圧縮処理及び記録媒体への記録動作はステップＳ４１１より並列処理される。そこで図４には簡単のため表記を省略している。
【００２４】
以上で説明した実施例によれば、接眼検知部４１が接眼を検知したとしても誤検知判定部４２による正誤判定を行い、誤検知と判断した場合には表示部２８の表示の消灯を禁止することができる。
これにより、接眼検知部４１が誤った検知を行ったとしても操作上の煩わしさを解消することが可能となる。
【符号の説明】
【００２５】
１：電子カメラ
２８：表示部
４１：接眼検知部
４２：誤検知判定部
５０：システム制御回路（制御手段）
【図１】
0005610732.tif 000002
【図２】
0005610732.tif 000003
【図３】
0005610732.tif 000004
【図４】
0005610732.tif 000005
【図５】
0005610732.tif 000006